(57)【要約】【課題】薄型化を実現でき、かつ操作性を良好にできるキーロック付きバックルを提供すること。【解決手段】バックル１は、挿抜自在に設けられたプラグ２およびソケット３と、プラグ２およびソケット３とは別体のキー４とで構成され、プラグ２には、弾性変形可能な弾性係合片２４が設けられ、ソケット３には、弾性係合片２４と係合する係合凸部３７が設けられ、キー４には、ソケット３に設けられたキー孔３６に差し込まれるキー側押圧部４５が設けられ、弾性係合片２４には、キー側押圧部４５によってのみ押圧される係合片側押圧部２８が設けられ、係合片側押圧部２８が押圧されることでの弾性係合片２４の弾性変形により、弾性係合片２４と係合凸部３７との係合が解除されるようになっている。【選択図】図１
2014133032.tif 000002
【特許請求の範囲】
【請求項１】
挿抜自在に設けられたプラグ（２）およびソケット（３）と、
前記プラグ（２）および前記ソケット（３）とは別体のキー（４）とで構成され、
前記プラグ（２）および前記ソケット（３）のいずれか一方には、弾性変形可能な弾性係合片（２４，１３７）が設けられ、
前記プラグ（２）および前記ソケット（３）のいずれか他方には、前記弾性係合片（２４，１３７）と係合する係合部（３７，１２７）が設けられ、
前記キー（４）には、前記ソケット（３）に設けられたキー孔（３６）に差し込まれるキー側押圧部（４５）が設けられ、
前記弾性係合片（２４，１３７）には、前記キー側押圧部（４５）によってのみ押圧される係合片側押圧部（２８）が設けられ、
前記係合片側押圧部（２８）が押圧されることでの前記弾性係合片（２４，１３７）の弾性変形により、前記弾性係合片（２４，１３７）と前記係合部（３７，１２７）との係合が解除される
ことを特徴とするキーロック付きバックル。
【請求項２】
請求項１に記載のキーロック付きバックルにおいて、
前記キー（４）は、前記キー孔（３６）に差し込まれる差込部（４２）を備えた回動式であり、
前記差込部（４２）は、回動中心（Ｏ１）が設けられた軸部（４４）と、前記軸部（４４）の外周から径方向の両側に向けて突出した前記キー側押圧部（４５）とで構成され、
前記係合片側押圧部（２８）には、前記キー（４）の回動に伴って前記キー側押圧部（４５）が乗り上げる押圧面（２８Ａ）が設けられ、
前記キー側押圧部（４５）には、前記押圧面（２８Ａ）への乗り上げ時に前記係合片側押圧部（２８）の端縁と接触する傾斜面（４５Ａ）が設けられる
ことを特徴とするキーロック付きバックル。
【請求項３】
請求項２に記載のキーロック付きバックルにおいて、
前記押圧面（２８Ａ）は、前記キー（４）の回動に伴って前記キー側押圧部（４５）と接触するように前記弾性係合片（２４）の先端側から基端側に向けて傾斜している
ことを特徴とするキーロック付きバックル。
【請求項４】
請求項２または請求項３に記載のキーロック付きバックルおいて、
前記キー（４）の前記回動中心（Ｏ１）は、前記プラグ（２）および前記ソケット（３）の幅方向の中心（Ｃ１）から該幅方向の一方側へずれており、
前記キー側押圧部（４５）の前記傾斜面（４５Ａ）は、前記キー（４）の回動中心（Ｏ１）から前記幅方向の他方側へずれた位置で前記係合片側押圧部（２８）と接触する
ことを特徴とするキーロック付きバックル。
【発明の詳細な説明】
【技術分野】
【０００１】
本発明はキーロック付きバックルに係り、詳しくは、キーロック付きバックルの薄型化の促進および操作性の改良に関する。
【背景技術】
【０００２】
従来、センターリリースタイプのバックルにおいて、キーロック構造を備えたものが知られている。このようなバックルでは、ソケットにはプラグとの係合状態を解除するための押圧解除片が設けられ、この押圧解除片には偏心カムとして機能するロータが回動自在に取り付けられている。また、ソケットには押圧解除片とロータとを覆うように施錠カバーがスライド自在に取り付けられている。従って、このバックルは、プラグ、ソケット、ロータ、施錠カバー、およびロータを回動させるためのキーからなる５部品で構成される（例えば、特許文献１）。
【０００３】
特許文献１に記載のバックルでは、施錠カバーは、ロータの回動量に応じてスライドし、押圧解除片と共に押圧可能な位置または押圧不可能な位置に位置決めされる。そして、このバックルによれば、プラグとソケットとを係合させた状態において、施錠カバーの鍵穴を通してキーをロータに差し込み、キー操作にてロータを回動させると、ロータが偏心カムとして機能することで、施錠カバーが押圧解除片を覆ったまま押圧不可能な位置までスライドする。このため、押圧解除片もまた、施錠カバーで覆われることにより押圧できないことから、ソケットとプラグとの係合を解除できず、バックルがキーロック状態となる。
【０００４】
逆に、ロータに差し込んだキーをさらに回動させるか、または前述とは逆方向に回動して戻すと、施錠カバーが押圧可能な位置までスライドし、バックルのキーロックが解除される。この後、施錠カバーを押圧解除片ごと押圧することにより、プラグとソケットとの係合が解除され、プラグをソケットから抜くことが可能である。
【０００５】
また、ロック付きのバックルとして、前述のロータおよび施錠カバーの両方の機能をロッキングタンブラで代用したものも知られている。従って、このバックルは、プラグ、ソケット、タンブラ、およびタンブラを回動させるためのキーからなる４部品で構成される（例えば、特許文献２参照）。
【０００６】
特許文献２のバックルでは、プラグに設けられたソケットとの係合部を押圧することで、ソケットとの係合を解除する。そして、プラグとソケットとが係合した状態において、キーを用いてタンブラを回動させ、タンブラに設けられたロックアームをプラグの係合部とソケットの内壁面との間に位置させると、プラグの係合部がロックアームに邪魔されて押圧不可能となり、プラグとソケットとの係合を解除できず、バックルがキーロック状態となる。
【０００７】
一方、キーをさらに回動させるか、逆方向に戻すことにより、ロックアームがプラグの係合部からずれた位置に移動し、係合部が押圧操作可能な状態となってキーロックが解除され、プラグの係合部を押圧することで、プラグとソケットとの係合が解除されてソケットを抜くことができる。
【先行技術文献】
【特許文献】
【０００８】
【特許文献１】実公平７−４６１６６号公報
【特許文献２】米国特許第４，９３０，３２４号明細書
【発明の概要】
【発明が解決しようとする課題】
【０００９】
しかしながら、特許文献１，２に記載のバックルでは、構成部品が多いため、バックル全体を薄型化するには限界がある。また、特許文献２のタンブラは、キーシリンダとしてユニット化された部品であるから、部品の大きさとしても大きく、特許文献１のバックルに比べると分品点数は少ないが、バックル全体としては大型化するという問題がある。
【００１０】
加えて、特許文献１，２に記載のバックルによれば、バックルをキーロックするためには、プラグをソケットに差し込んで係合させた後、キーを用いてキー操作を行う必要がある。反対にプラグをソケットから抜き取る場合には、キー操作にて一旦キーロックを解除した後、プラグとソケットとの係合を解除する操作を行わなければならない。このように、キーロック時やその解除時のキー操作を含めると、プラグとソケットとの挿抜に手間がかかるという問題がある。
【００１１】
本発明の目的は、薄型化を実現でき、かつ操作性を良好にできるキーロック付きバックルを提供することにある。
【課題を解決するための手段】
【００１２】
本発明のキーロック付きバックルは、挿抜自在に設けられたプラグおよびソケットと、前記プラグおよび前記ソケットとは別体のキーとで構成され、前記プラグおよび前記ソケットのいずれか一方には、弾性変形可能な弾性係合片が設けられ、前記プラグおよび前記ソケットのいずれか他方には、前記弾性係合片と係合する係合部が設けられ、前記キーには、前記ソケットに設けられたキー孔に差し込まれるキー側押圧部が設けられ、前記弾性係合片には、前記キー側押圧部によってのみ押圧される係合片側押圧部が設けられ、前記係合片側押圧部が押圧されることでの前記弾性係合片の弾性変形により、前記弾性係合片と前記係合部との係合が解除されることを特徴とする。
【００１３】
本発明によれば、バックルの構成部品としては、プラグ、ソケット、およびキーの３部品であるため、従来のようなロータや施錠カバー、あるいはタンブラといった部品を不要にでき、薄型化を促進できる。
また、プラグおよびソケットは、押圧係合片と係合部との係合により係合状態となるが、このような係合状態を解除するためには、キーを用いる他に方法がなく、キー以外の外部操作等によって解除することができない。すなわち、プラグをソケットに挿入することで行われる係合操作が、そのままキーロック操作になるのであり、キーロック時のキー操作を不要にできる。また、キーによるロック解除がそのまま係合解除の操作になるので、ロック解除後に改めて係合を解除するための操作を行う必要がない。このことにより、バックルの操作性を格段に向上させることができる。
【００１４】
本発明のキーロック付きバックルでは、前記キーは、前記キー孔に差し込まれる差込部を備えた回動式であり、前記差込部は、回動中心が設けられた軸部と、前記軸部の外周から径方向の両側に向けて突出した前記キー側押圧部とで構成され、前記係合片側押圧部には、前記キーの回動に伴って前記キー側押圧部が乗り上げる押圧面が設けられ、前記キー側押圧部には、前記押圧面への乗り上げ時に前記係合片側押圧部の端縁と接触する傾斜面が設けられることを特徴とする。
本発明によれば、キーをキー孔に差し込むだけでなく、回動させて初めてロックおよび係合が解除されるので、キー以外のものをキー孔に差し込んで解除しようとしても、解除し難くでき、セキュリティ性を良好にできる。
さらに、キー操作による解除の際には、キーを回動させてキー側押圧部を係合片側押圧部の押圧面に乗り上げるのであるが、キー側押圧部には傾斜面が設けられ、この傾斜面が係合片側押圧部の端縁に接触するため、キーの回動に伴う押圧面へのキー側押圧部の乗り上げをスムーズにでき、キーの操作性を向上させることができる。
【００１５】
本発明のキーロック付きバックルでは、前記押圧面は、前記キーの回動に伴って前記キー側押圧部と接触するように前記弾性係合片の先端側から基端側に向けて傾斜していることを特徴とする。
本発明によれば、弾性係合片をプラグ側に設ける場合において、係合片側押圧部の押圧面が傾斜していることにより、キーの回動に伴ってキー側押圧部は、弾性係合片を変形させるように押圧面を単に押圧するだけではなく、プラグの抜き取り方向にも押圧するようになり、プラグのロック解除および係合解除に加えて、プラグをソケットに対して所定量押し出すことができ、その後のプラグの抜き取り操作を容易にできる。
【００１６】
本発明のキーロック付きバックルでは、前記キーの前記回動中心は、前記プラグおよび前記ソケットの幅方向の中心から該幅方向の一方側へずれており、前記キー側押圧部の前記傾斜面は、前記キーの回動中心から前記幅方向の他方側へずれた位置で前記係合片側押圧部と接触することを特徴とする。
キー側押圧部は、回動中心となる軸部に対して径方向に突出しており、回転中心からずれて設けられている。このため、キーの回動中心とプラグおよびソケットの幅方向の中心とが一致していると、キー側押圧部と弾性係合片との接触位置が幅方向の中心からずれてしまい、弾性係合片を均一に弾性変形させることができない可能性がある。
そこで本発明では、キーの回動中心を幅方向の中心からずらし、キー側押圧部を弾性係合片に対して幅方向の中心寄りの位置で接触させることとし、こうすることにより、弾性係合片の偏った変形を防止でき、弾性係合片と係合部との係合をより確実に解除できる。
【図面の簡単な説明】
【００１７】
【図１】本発明の一実施形態を示すバックルの分解斜視図。
【図２】バックルを構成するプラグおよびソケットの係合前の状態を示す断面図であり、図１の矢印II−IIから見た矢視図。
【図３】プラグをソケットに係合させた状態のバックルを示す一部断面の平面図。
【図４】プラグをソケットに係合させた状態のバックルを示す断面図であり、図３の矢印IV-IVから見た矢視図。
【図５】ロック解除時のキー操作に伴うプラグの動きを説明するための第１の図。
【図６】ロック解除時のキー操作に伴うプラグの動きを説明するための第２の図。
【図７】キー操作が終了し、ロックが解除された状態のバックルを示す断面図。
【図８】本発明の変形例を示す分解斜視図。
【図９】本発明の他の変形例を示す断面図。
【発明を実施するための形態】
【００１８】
以下、本発明の一実施形態を図面に基づいて説明する。
図１、図２において、バックル１は、ロック機構を有したセンターリリースタイプであって、互いに係脱自在なプラグ２およびソケット３と、ソケット３に差し込まれるキー４とからなり、それぞれが合成樹脂製とされた３部品で構成される。つまり、バックル１としては、キー４を備えているものの、従来のようなロータや施錠カバー、あるいはタンブラといった部品は用いられておらず、部品点数を削減することで、一層の薄型化が図られている。
【００１９】
プラグ２は、平坦な表面２１Ａおよび裏面２１Ｂを有した把持部２１を備える。把持部２１には、表面２１Ａおよび裏面２１Ｂを貫通する開口部２２Ａが設けられ、開口部２２Ａ内には、プラグ２の幅方向に沿ってベルト巻付杆２２Ｂが設けられている。これら開口部２２Ａおよびベルト巻付杆２２Ｂにより、ベルト装着部２２が構成される。把持部２１の幅方向の両側には、挿抜されるソケット３側に向けて延出した一対のガイド片２３，２３が設けられている。また、把持部２１からは、一対のガイド片２３，２３間に位置する弾性係合片２４が延設されている。ガイド片２３と弾性係合片２４との間は、スリット２５になっている。
【００２０】
ガイド片２３の裏面２３Ａには、ガイド片２３の延出方向（ソケット３との挿抜方向に同じ）に沿って連続した溝部２６が設けられている。溝部２６は、ソケット３に設けられた突条部５４（図３参照）と係合するようになっており、プラグ２が表裏を違えてソケット３に挿入されるのを防止している。
【００２１】
一方、弾性係合片２４の表面２４Ａには、平面視で矩形状の係合凹部２７が設けられている。係合凹部２７は、挿入方向の先端側に向かうに従って凹状部分の深さが深くなるように傾斜した傾斜面２７Ａと、傾斜面２７Ａの端縁と表面２４Ａとを連続させる係合部２７Ｂとを備える。
【００２２】
また、弾性係合片２４の先端側は、裏面２４Ｂ側に向かってわずかに折曲した係合片側押圧部２８になっている。係合片側押圧部２８には、その先端縁から基端側にかけて扇状に窪んだ押圧面２８Ａが設けられている。従って、弾性係合片２４の先端側の厚みは、押圧面２８Ａに対応した部分が薄く、後述するキー側押圧部４５が乗り上げ易くなっている。押圧面２８Ａは、係合片側押圧部２８の折曲した形状に倣って傾斜しているのであり、キー４の回動に伴ってキー側押圧部４５との接触抵抗が大きくなるように弾性係合片２４の先端側から基端側に向けて傾斜している。
【００２３】
ソケット３は、表裏方向に間隔を空けて設けられた表壁３１および裏壁３２と、これらの外周を覆う側壁３３とを備えた中空部品として構成される。ソケット３において、プラグ２が挿抜される側には、その挿抜のために用いられる開口３４が設けられている。ソケット３の開口３４とは反対側には、矩形状の切欠開口３５Ａが設けられ、切欠開口３５Ａ内には、ソケット３の幅方向に沿ってベルト巻付杆３５Ｂが設けられている。これら、切欠開口３５Ａおよびベルト巻付杆３５Ｂにより、ソケット３側のベルト装着部３５が構成される。
【００２４】
表壁３１には、表面３１Ａおよび裏面３１Ｂを貫通するキー孔３６が設けられている。キー孔３６の形状は、キー４の形状に応じて適宜決められてよいが、本実施形態では、丸孔部３６Ａと、その径方向の両側に設けられた角孔部３６Ｂとで構成される。ここで、バックル１では、キー操作を行うこと以外には、プラグ２およびソケット３の係合を解除することはできない。このため、ソケット３の表壁３１には、キー孔３６以外には開口しておらず、係合状態にあるソケット３の弾性係合片２４を外部から押圧可能な開口等は設けられていない。
【００２５】
さらに、表壁３１の裏面３１Ｂには、下方に向かって突出した係合部としての係合凸部３７が設けられている。係合凸部３７は、プラグ２の係合凹部２７内に収容可能な外形形状とされ、係合凹部２７の傾斜面２７Ａと同じ方向で傾斜した傾斜面３７Ａと、傾斜面３７Ａの端縁と裏面３１Ｂとを連続させるソケット３側の係合部３７Ｂとを備える。
【００２６】
キー４は、環状の摘み部４１と、摘み部４１に一体に設けられてソケット３のキー孔３６に差し込まれる差込部４２と、同じく摘み部４１に一体に設けられ、かつ差込部４２をキー孔３６に差し込んだ際に表壁３１に当接される当接部４３とを備える。キー４の差込部４２は、キー孔３６の丸孔部３６Ａに差し込まれる円柱状の軸部４４、および軸部４４の外周から径方向の両側に向けて突出し、かつ角孔部３６Ｂに差し込まれる一対のキー側押圧部４５で構成される。キー孔３６に差し込まれたキー４は、軸部４４の軸中心を回動中心Ｏ１（図４参照）として時計回りに回動可能である。ただし、キー４の形状はこれに限定されず、キー４を回動することでプラグ２の押圧面２８Ａを押圧可能であれば、任意な形状を採用できる。
【００２７】
それぞれのキー側押圧部４５には、周方向において同じ向きに傾斜した傾斜面４５Ａ（図４をも参照）が設けられている。具体的に傾斜面４５Ａは、差込方向の先端に向かうに従ってキー側押圧部４５が先細りとなる向きで傾斜しており、キー側押圧部４５全体としては、平面視において回動中心Ｏ１（図５、図６参照）を対象の中心とした点対称な形状になっている。そのような傾斜により傾斜面４５Ａは、係合片側押圧部２８の端縁に対し、押圧面２８Ａ側で鋭角を成して接触することとなる。
【００２８】
図３、図４に基づき、ソケット３にプラグ２が挿入された状態について詳説する。
ソケット３において、表壁３１および裏壁３２との間には、プラグ２の挿抜方向と平行な２条のガイドリブ５１が設けられている。ガイドリブ５１は、プラグ２の挿入時にスリット２５内に入り込む。ガイドリブ５１とこれに対して幅方向に対向する側壁３３との間の空間は、プラグ２のガイド片２３が入り込むガイド片収容部５２になっている。そして、一対のガイドリブ５１間の空間は、弾性係合片２４が入り込む係合片収容部５３になっている。
【００２９】
ガイド片収容部５２内において、裏壁３２の内面３２Ａには、挿抜方向に沿って連続した突条部５４が設けられ、前述したように、突条部５４とプラグ２のガイド片２３に設けられた溝部２６とが係合する。また、係合片収容部５３では、プラグ２の係合凹部２７がソケット３の係合凸部３７に収容され、互いの係合部２７Ｂ，３７Ｂ同士が係合する。
【００３０】
ここで、プラグ２とソケット３とが係合状態にある時、両者の間には挿抜方向にわずかな隙間（ガタ）が生じている。プラグ２が最も入り込むことでガタが詰まっている場合では、プラグ２の弾性係合片２４の先端が、対向する係合片収容部５３内の当接部５３Ａに当接する（図３の状態）。これに対し、プラグ２が最も引抜側に位置することでガタが詰まっている場合では、係合部２７Ｂ，３７Ｂ同士が係合して、プラグ２がソケット３から抜けないように維持される（図４の状態）。
【００３１】
ソケット３の内部において、キー孔３６の周囲には、キー孔３６のそれぞれの角孔部３６Ｂに対応した位置に当接部５５が設けられている。当接部５５は、差し込まれるキー４の傾斜面４５Ａとは反対側に位置しており、キー４を誤って反時計方向に回そうとした場合に、キー側押圧部４５と当接してキー４が回動しないようになっている。
【００３２】
この際、プラグ２の弾性係合片２４に近い側の当接部５５の裏側（弾性係合片２４側）は、弾性係合片２４が当接する当接部５３Ａの一部になっている。このため、当接部５３Ａ，５５には、プラグ２やキー４が当接するのであり、より大きな強度が要求される。従って、本実施形態では、弾性係合片２４先端の外形形状を傾斜辺縁２４Ｃが設けられた左右非対称な異形形状とし、当接部５３Ａ，５５間の厚みをその異形形状に対応した十分な大きさに設けることで、当接部５３Ａ，５５間の強度を確保している。
【００３３】
キー孔３６の角孔部３６Ｂは、キー４の時計方向への回動に伴ってキー側押圧部４５が通過する回動軌跡上の通過空間と連通している。そのうちの一方の通過空間内には、プラグ２の係合片側押圧部２８に設けられた押圧面２８Ａが位置し、キー４を回動し始めた直後から、一方のキー側押圧部４５の傾斜面４５Ａが係合片側押圧部２８の先端縁に接触し、この後に押圧面２８Ａ上に乗り上げて弾性係合片２４を押圧変形させる。他方の空間の内壁の一部は、キー４の他方のキー側押圧部４５が当接する当接部５６になっており、キー４の回動角度が９０°に規定される。
【００３４】
キー孔３６では、キー孔３６の中心位置Ｏ２がキー４の回動中心Ｏ１に対応した同軸となり、中心位置Ｏ２は、プラグ２およびソケット３に共通な幅方向の中心Ｃ１を基準として、図３中の右側にずれて位置している。このような構成により、係合側押圧部２８に接触するキー側押圧部４５が各中心Ｏ１，Ｏ２に対して図３中の左側に設けられている本実施形態においては、キー４を回動させた際に、中心Ｃ１に近い位置でキー側押圧部４５と係合片側押圧部２８との接触を開始させることができる。このため、キー側押圧部４５による弾性係合片２４の押圧時には、キー側押圧部４５から伝達される押圧力が弾性係合片２４の幅方向の中心Ｃ１寄りに作用することになり、弾性係合片２４が中心Ｃ１から大きくずれて押圧されるのを防止でき、係合状態の解除およびプラグの押出動作が確実に行われる。
【００３５】
ただし実際には、キー側押圧部４５と弾性係合片２４との接触位置は、中心Ｃ１よりも図３中の左側に多少ずれている。従って、キー４の回動直後からキー側押圧部４５にて弾性係合片２４が押圧される本実施形態では、弾性係合片２４の変形状態に偏りが生じる可能性がある。つまり、中心Ｃ１を挟んで各中心Ｏ１，Ｏ２とは反対側での弾性変形が幾分大きくなることが考えられる。
【００３６】
そこで本実施形態では、プラグ２の係合凹部２７およびソケット３の係合凸部３７は、その幅方向の中心Ｃ２が全体の中心Ｃ１に対して左側にずれて位置するように設けられており、弾性係合片２４が偏って弾性変形した場合でも、係合凹部２８７および係合突部３７の係合状態がより確実に解除されるようになっている。
【００３７】
以下には、バックル１の動作について、図４〜図７に基づいて説明する。
先ず、図４に示すように、ソケット３にプラグ２を挿入すると、挿入するに従ってソケット３の係合凸部３７にプラグ２の弾性係合片２４が接触し、弾性係合片２４が図中の下方に押圧されながら係合凸部３７を通過する。弾性係合片２４に設けられた係合凹部２７の係合部２７Ｂが係合凸部３７の係合部３７Ｂを通過した時点で、弾性係合片２４の弾性変形が復帰し、係合部２７Ｂ，３７Ｂが互いに係合する。この状態が、プラグ２とソケット３とが係合した状態である。
【００３８】
この係合状態では、弾性係合片２４を外部から手操作等により押圧することができないため、プラグ２とソケット３との係合を解除することができず、ソケット３からプラグ２を抜き取ることができない。つまり、プラグ２とソケット３とが係合状態になった時点で、プラグ２はソケット３に対してキーロックされることとなり、係合後にキー４を用いたキーロック操作は不要である。
【００３９】
次いで、ロックを解除し、係合を解除してプラグ２をソケット３から抜き取る場合には、図４に示すように、キー孔３６にキー４を差し込み、図５に示すように、キー４を時計回りに回動する。こうすると、回動直後にキー側押圧部４５に設けられた傾斜面４５Ａは、係合片側押圧部２８の先端縁と接触し、押圧面２８Ａ上に乗り上げて弾性係合片２４を下方に押圧する。押圧された弾性係合片２４は弾性変形し、キー４の回動操作の比較的初期の段階で係合凸部３７から係合凹部２７が外れ、互いの係合が解除される。
【００４０】
さらに、図６に示すように、キー４の回動操作を所定角度まで進めると、この所定角度に達するまでの間に、弾性係合片２４はソケット３の裏壁３２に当接してその弾性変形が止められる（図７）。一方で、キー４の回動に伴ってキー側押圧部４５とプラグ２の傾斜した押圧面２８Ａとが依然擦れ合うことから、押圧面２８Ａには、図中に白抜き矢印で示すように、プラグ２を押し出す方向への押圧力が作用する。
【００４１】
この結果、プラグ２は、図７に示すように、把持し易い所定の位置まで押し出される。この後にプラグ２が抜き取られることになる。このように、キー４を差し込んで回動させることにより、プラグ２とソケット３とのロック状態を解除するのみならず、互いの係合状態をも解除し、さらに、プラグ２を所定量だけ押し出す動作が行われる。
【００４２】
以上の本実施形態によれば、以下の効果が得られる。
すなわち、バックル１としては、プラグ２、ソケット３、およびキー４の３部品で構成されているため、従来のようなロータや施錠カバー、あるいはタンブラといった部品を不要にでき、薄型化を促進できる。
【００４３】
バックル１では、プラグ２をソケット３に挿入することで行われる係合操作がそのままロック操作になるため、ロック時のキー操作を不要にできる。また、キー４によるロック解除がそのまま係合解除の操作になるので、ロック解除後に改めて係合を解除するための操作を行う必要がない。このことにより、バックル１の操作性を格段に向上させることができる。
【００４４】
バックル１では、キー４をキー孔３６に差し込むだけでなく、回動させて初めてロックおよび係合が解除されるので、専用のキー以外のものをキー孔に差し込んで解除しようとしても、解除し難くでき、セキュリティ性を良好にできる。
【００４５】
さらに、キー操作による解除の際には、キー４のキー側押圧部４５を係合片側押圧部２８に乗り上げる必要があるが、キー側押圧部４５には傾斜面４５Ａが設けられ、この傾斜面４５Ａが係合片側押圧部２８の端縁と接触するので、キー４の回動に伴う押圧面２８Ａへのキー側押圧部４５の乗り上げをスムーズにでき、キー４の操作性を向上させることができる。
【００４６】
バックル１では、係合片側押圧部２８の押圧面２８Ａが傾斜していることにより、キー４の回動に伴ってキー側押圧部４５は、弾性係合片２４を変形させるように押圧面２８Ａを単に押圧するだけではなく、プラグ２の抜き取り方向にも押圧するようになるから、プラグ２のロック解除および係合解除に加えて、プラグ２をソケット３に対して所定量押し出すことができ、その後のプラグ２の抜き取り操作を容易にできる。
【００４７】
バックル１では、キー４の回動中心Ｏ１がプラグ２およびソケット３の幅方向の中心Ｃ１からずれており、キー側押圧部４５が弾性係合片２４に対して中心Ｃ１寄りの位置で接触するので、弾性係合片２４の偏った変形を防止でき、プラグ２側の係合凹部２７とソケット３側の係合凸部３７との係合をより確実に解除できる。
【００４８】
なお、本発明は前記実施形態に限定されるものではなく、本発明の目的を達成できる範囲での変形例は本発明に含まれる。
例えば、前記実施形態では、キー４が回動式であったが、図８に示すように、一対のキー側押圧部４５を備えた差込式であってもよい。この場合、キー側押圧部４５には、差し込まれた状態でプラグ２側に向くように傾斜面４５Ａが設けられている。ソケット３側の構造としては、一対の角孔部３６Ｂにてキー孔３６を構成し、これらの角孔部３６Ｂにキー側押圧部４５が差し込まれる。プラグ２側では、弾性係合片２４が、左右の第１、第２係合片２４１，２４２に分割され、係合凹部２７および押圧面２８Ａもそれぞれ、左右の第１、第２凹部２７１，２７２および第１、第２押圧面２８１Ａ，２８２Ａに分割されている。ただし、ソケット３の係合凸部３７やプラグ２の押圧面２８Ａとしては、弾性係合片２４の幅方向全体に対応して設けられる。他の構成は、前記実施形態と略同じである。
【００４９】
このような変形例では、キー４を差し込むことで、その傾斜面４５Ａにて第１、第２係合片２４１，２４２が押圧され、第１、第２凹部２７１，２７２と係合凸部３７との係合状態が解除されるとともに、傾斜した傾斜面４５Ａおよび第１、第２押圧面２８１Ａ，２８２Ａの作用により、プラグ２が所定量だけ抜き取り側に移動する。そして、本変形例では、第１、第２係合片２４１，２４２を有することにより、これらの２枚を同時に押圧しない限り係合状態が解除されず、筆記具等の先端を差し入れて一方のみを押圧しても解除できないから、セキュリティ性が高い。また、角孔部３６Ｂの開口面積は、キー側押圧部４５を挿入可能な程度まで小さくできるため、そのような筆記具の挿入自身を困難にできる。なお、弾性係合片２４を３分割以上にし、全てを同時に押圧しないと解除できないようにして、よりセキュリティ性を向上させてもよい。
【００５０】
前記実施形態では、弾性係合片２４がプラグ側に設けられていたが、図９に示すように、そのような弾性係合片１３７をソケット３側に設け、プラグ２側には、弾性係合片１３７と係合する係合部１２７を設けてもよい。このような構成では、係合部１２７を有するプラグ２側の係合片１２４が一対並設され（図９では一つのみを図示）、それらの間にキーが差し込まれる。
【００５１】
前記実施形態では、キー４を回動することでプラグ２およびソケット３のキーロックや係合を解除できる他、プラグ２を所定量お押し出す構成になっていたが、プラグ２の押圧面２８Ａの傾斜角度の設定によっては、ロックおよび係合状態を解除するだけの構成としてもよい。例えば、前記実施形態では、押圧面２８Ａが傾斜していたが、このような傾斜をなくしたり、傾斜方向を変更したりし、また、図８に示す変形例のような構成では、キー側押圧部４５の傾斜面４５Ａおよびプラグ２の押圧面２８Ａの傾斜をなくすることで、プラグ２が押し出されない構成となる。このような構成では、キーロックおよび係合が解除されたプラグ２を、初めから手操作によって抜き取ることになる。
【００５２】
前記実施形態では、キー４の回動角度が９０°に規定されていたが、キー４を例えば３６０°回転可能に構成した場合でも、本発明に含まれる。回動角度を何度に規定するかは、その実施にあたって任意に決められてよい。
【産業上の利用可能性】
【００５３】
本発明は、物品が収容される包装用の箱体や袋体の開口蓋等を、ベルトおよびバックルを用いて閉じるように構成した場合において、その開口蓋を容易に開けられないようにするバックルとして好適に用いられる。
【符号の説明】
【００５４】
１…バックル、２…プラグ、３…ソケット、４…キー、２４，１３７…弾性係合片、２８…係合片側押圧部、３６…キー孔、３７…係合部である係合凸部、４２…差込部、４４…軸部、４５…キー側押圧部、４５Ａ…傾斜面、２８Ａ…押圧面、１２７…係合部、Ｃ１…中心、Ｏ１…回動中心。
【図１】
2014133032.tif 000003
【図２】
2014133032.tif 000004
【図３】
2014133032.tif 000005
【図４】
2014133032.tif 000006
【図５】
2014133032.tif 000007
【図６】
2014133032.tif 000008
【図７】
2014133032.tif 000009
【図８】
2014133032.tif 000010
【図９】
2014133032.tif 000011